(57)【要約】【課題】少なくともある一定のスプリングバック特性を示すシート材の利用を含む包装の実現に容易に適用できる解決策を提供する。【解決手段】可塑性の変形性を有するシート材からなる第１のシート（１）（例えばアルミニウム）と、スプリングバック特性を有する包装材からなる第２のシート（２）（例えばプラスチックフィルム）とを使用したシート材の包装で製品（Ｐ）を包装する方法を提供する。一旦製品（Ｐ）が第1のシート（１）上に置かれると、製品（Ｐ）に第２のシート（２）か被さられ、その中で、製品（Ｐ）を包装する部分と、第１のシート（１）に面する部分（２ａ）とが提供される。第１のシート（１）と、第２のシート（２）のうち第１のシート（１）に面する部分（２ａ）気密シールで結合し、それによって可塑的に変形可能な複合材からなるシート材（１，２ａ）を形成し、又は一体的な収納カップを形成する。【選択図】図４
2011507775.tif 000002
【特許請求の範囲】
【請求項１】
可塑性の変形性を有する材料からなる第１のシート（１）と、スプリングバックを示す包装材からなる第２のシート（２）とを供給する工程と、
前記第１のシート（１）と前記第２のシート（２）とを前記製品（Ｐ）に被せ、前記第２のシート（２）に、前記製品（Ｐ）を包装する部分と、前記第１のシートに面する部分（２ａ）とを形成する工程と、
前記第１のシート（１）と、該第１のシート（１）と面する前記第２のシート（２）の部分（２ａ）とを結合し、それによって可塑的に変形可能な複合材からなるシート材（１，２ａ）を形成する工程と、
前記可塑的に変形可能な複合材からなるシート材（１，２ａ）を成形し、前記製品（Ｐ）の包装を形成する工程（１４０，１５０，１５）を備える
ことを特徴とする、シート材からなる包装紙で製品（Ｐ）を包装する方法。
【請求項２】
請求項１記載の方法において、
前記第１のシート（１）と、該第１のシート（１）に面する前記第２のシートの部分（２ａ）を気密シールで結合し（１３０）、前記第１のシート（１）と前記第２のシート（２）によって形成される気密性を有する包装を提供する工程を備える
ことを特徴とする、シート材からなる包装紙で製品（Ｐ）を包装する方法。
【請求項３】
請求項１又は２記載の方法において、
前記第１のシート（１）と、該第１のシート（１）と面する前記第２のシート（２）の部分（２ａ）とを結合するために、製品（Ｐ）の周囲に沿って、前記製品（Ｐ）に被せられる前記第１のシート（１）と前記第２のシート（２）間に、両シートが互いに面することを維持する仮付け結合を実現する工程を備える
ことを特徴とする、シート材からなる包装紙で製品（Ｐ）を包装する方法。
【請求項４】
請求項３記載の方法において、
成形工具（１１０）で前記製品（Ｐ）に前記第２のシート（２）を被せる工程と、
前記仮付け結合（４）を実現する（１２０）工程と、
前記仮付け結合（４）を実現した後に前記成形工具（１１０）を取り除く工程と、
前記第１のシート（１）と、該第１のシート（１）に面する前記第２のシート（２）の部分（２ａ）とを結合する工程を備える
ことを特徴とする、シート材からなる包装紙で製品（Ｐ）を包装する方法。
【請求項５】
請求項３又は４記載の方法において、
前記仮付け結合（４）を不連続な結合として実現する工程を備える
ことを特徴とする、シート材からなる包装紙で製品（Ｐ）を包装する方法。
【請求項６】
請求項１乃至５のいずれか１に記載の方法において、
前記第１のシート（１）に、前記製品（Ｐ）を部分的に収容する凹形のインプリントを形成する工程を備える
ことを特徴とする、シート材からなる包装紙で製品（Ｐ）を包装する方法。
【請求項７】
請求項１乃至６のいずれか１に記載の方法において、
前記第１のシート（１）よりも大きな寸法を有する前記第２のシート（２）を選び、前記第２のシート（２）が前記製品（Ｐ）の大部分を包装する工程を備える
ことを特徴とする、シート材からなる包装紙で製品（Ｐ）を包装する方法。
【請求項８】
請求項１乃至７のいずれか１に記載の方法において、
前記可塑的に変形可能な複合材からなるシート材（１，２ａ）を製品（Ｐ）に向かって折り曲げ、前記第２のシート（２）が前記第１のシート（１）を少なくとも部分的に覆う工程を備える
ことを特徴とする、シート材からなる包装紙で製品（Ｐ）を包装する方法。
【請求項９】
請求項１乃至８のいずれか１に記載の方法において、
前記第１のシート（１）及び前記第２のシート（２）に包装された前記製品（Ｐ）を、好ましくはカップ状の形状を有する収納容器（５）に挿入する工程を備える
ことを特徴とする、シート材からなる包装紙で製品（Ｐ）を包装する方法。
【請求項１０】
請求項１乃至８のいずれか１に記載の方法において、
前記複合材からなるシート材（１，２ａ）に、概略カップ状の形態（１５）となる成形工程を受けさせる工程を備える
ことを特徴とする、シート材からなる包装紙で製品（Ｐ）を包装する方法。
【請求項１１】
請求項１乃至１０のいずれか１に記載の方法において、
前記第１のシート（１）と、該第１のシート（１）と面する前記第２のシート（２）の部分（２ａ）との結合する実現するために、前記第１のシート（１）と前記第２のシート（２）とのうちの少なくとも一方に、溶接可能な材料からなる層を付与する工程
を備えることを特徴とする、シート材からなる包装紙で製品（Ｐ）を包装する方法。
【請求項１２】
シート材の包装の中に包装される製品（Ｐ）を備えた包装体であって、
前記包装は、可塑的に変形可能な包装材からなる第１のシート（１）と、スプリングバックを示す包装材からなる第２のシート（２）を備え、
前記第２のシート（２）は、製品（Ｐ）を包む部分と、前記第１のシート（１）に面する部分（２ａ）を有し、
前記第１のシート（１）と、該第１のシート（１）に面する前記第２のシート（２）の部分（２ａ）とが一緒に結合され、これによって、前記製品（Ｐ）の前記包装を提供するように形成された、可塑的に変形可能な複合材からなるシート材（１，２ａ）を形成する
ことを特徴とする包装体。
【請求項１３】
請求項１２記載の包装体において、
前記第１のシート（１）及び該第１のシート（１）に面する前記第２のシート（２）の部分（２ａ）が気密シールされた状態で一緒に結合され、気密性を有する包装紙を供給する
ことを特徴とする包装体。
【請求項１４】
請求項１２又は１３記載の包装体において、
製品（Ｐ）の周囲に沿って、前記第１のシート（１）と前記第２のシート（２）の間に仮付け結合を有する
ことを特徴とする包装体。
【請求項１５】
請求項１２乃至１４のいずれか１に記載の包装体において、
前記第１のシート（１）は前記製品（Ｐ）を部分的に収容する凹形のインプリントを有する
ことを特徴とする包装体。
【請求項１６】
請求項１２乃至１５のいずれか１に記載の包装体において、
前記第２のシート（２）は前記第１のシート（１）よりも大きな寸法を有する
ことを特徴とする包装体。
【請求項１７】
請求項１２乃至１６のいずれか１に記載の包装体において、
前記複合からなるシート材（１，２ａ）は、前記第２のシート（２）が前記第１のシート（１）を少なくとも部分的に覆った状態に、製品（Ｐ）に向かって折り曲げられる
ことを特徴とする包装体。
【請求項１８】
請求項１２乃至１７のいずれか１に記載の包装体において、
前記第１のシート（１）と前記第２のシート（２）に包装された前記製品（Ｐ）は、好ましくはカップ状の形状を有する収納容器（５）に挿入される
ことを特徴とする包装体。
【請求項１９】
請求項１２乃至１６のいずれか１に記載の包装体において、
前記複合材からなるシート材（１，２ａ）は概略カップ状の形態（１５）となるよう成形される
ことを特徴とする包装体。
【請求項２０】
請求項１２乃至１９のいずれか１に記載の包装体において、
前記第１のシート（１）と前記第２のシート（２）とのうちの少なくとも一方は、前記第１のシート（１）と該第１のシート（１）と面する前記第２のシート（２）の部分（２ａ）の間を結合させる溶接可能な材料からなる層を有する
ことを特徴とする包装体。
【請求項２１】
請求項１２乃至２０のいずれか１に記載の包装体において、
前記第１のシート（１）は、例えばアルミニウムのような可塑的に変形可能な金属層を有する
ことを特徴とする包装体。
【請求項２２】
請求項１２乃至２１のいずれか１に記載の包装体において、
前記第１のシート（１）は凹みへの耐性を有する
ことを特徴とする包装体。
【請求項２３】
請求項１２乃至２２のいずれか１に記載の包装体において、
前記第２のシート（２）は金属で被覆された表面を有する
ことを特徴とする包装体。
【請求項２４】
請求項１２乃至２３のいずれか１に記載の包装体において、
前記第１のシート（１）と、該第１のシート（１）に面する前記第２のシート（２）の部分（２ａ）は熱溶接によって結合される
ことを特徴とする包装体。
【請求項２５】
請求項１２乃至２３のいずれか１に記載の包装体において、
前記第１のシート（１）と、該第１のシート（１）に面する前記第２のシート（２）の部分（２ａ）は超音波溶接によって結合される
ことを特徴とする包装体。
【発明の詳細な説明】
【技術分野】
【０００１】
本願発明は商品の包装に関し、食品の包装に適用できるよう開発された。
【０００２】
ただし、そのような適用可能な分野への言及は本発明の範囲を制限するものとして解釈されるべきではない。
【背景技術】
【０００３】
ここに述べられている解決策はＥＰ‐Ａ‐０  ５９１  ７４２に記載された解決策の発展型と見ることができる。その文書において説明された解決策（いくぶん類似する解決策がＥＰ‐Ａ‐０  ７９０  １８４及びＥＰ‐Ａ‐１  ０４６  ５７９に記載されている）は、例えば甘い食べ物などの製品の包装のための気密な包装（又は気密シール）を提供することになっている。
【０００４】
そのような解決策は包装材からなる第一及び第二のシートを用いる。第１のシートは、製品の形状と実質的に相補的な殻もしくは鉢状の形状を与えるように仕向けられた成形操作（"drawing”）を受ける。一旦成形されると、第１のシートは製品の大部分を内側に収容することができる。それから、第２のシートは成形された第１のシートの中に挿入された製品のカバーに用いられ、そして２つのシートは互いに結合され、製品の周りに実質的に密閉された製品の包装を提供する。それから２つのシートは、製品の表面にくっ付く、気密シールされた包装を提供するようにされた連続する成形操作を受ける。
【０００５】
製品は受容カップ（例えば、一般に“プチフール”と呼ばれるタイプの、ひだが設けられた壁面を有するカップ）内に配置され得る。ＥＰ‐Ａ‐１  ０４６  ５７９に記載された解決策によると、２つの包装紙を成形する操作は、代わりに、上記受容カップの形状を再現する一体化された形状の部分を提供するよう導く。
【０００６】
引用文献において説明された解決策は、第１及び第２のシートの製造原材料として可塑的に変形可能な（又は永久に変形可能な）材料を使用することを考慮して考え出された。
【０００７】
可塑性の又は永続的な変形性によって、変形させようとする力が取り除かれたときでさえ、本体のキャパシティーが変形して、変形後の形状を安定的に維持することを目的としている。例えばアメやチョコレートのような菓子を包装するために伝統的に用いられてきたタイプのアルミホイルは、可塑的に変形可能な材料の典型例である。この材料のシートを手に取り、くしゃくしゃに丸めると、その材料は実質的に安定した状態で、ボール状の形状を維持するであろう。
【０００８】
弾性体の変形性はそのような態様に反し、一旦変形させようとする力が取り除かれると、変形した本体が程度の差はあれ直ぐに変形前の形状に戻る。塑性の変形性と同様に、絶対的には、弾性の変形性も理想的なモデルである。弾性的に変形可能なほとんどの材料は、現実には、多かれ少なかれ明らかにスプリングバックする。したがって、一旦変形させようとする力が取り除かれると、スプリングバックによって、折り曲げられもしくは成形された弾性材料が元の形状に戻るようになる。
【０００９】
ポリプロピレン又はポリエチレン基材のシート包装材は、スプリングバックを示す材料の典型例である。もしこの材料からなるシートをくしゃくしゃに丸めても、程度の差はあれ直ぐにボール状の形状を失い、多かれ少なかれ再び広く広がる傾向がある。
【００１０】
例えばＥＰ‐Ａ‐０  ５９１  ７４２に記載されたような解決策は、実質的にアルミホイルからなるシート材を利用する際は理想的であり、最終的にはコーティング材からなる1又はそれ以上の層が結合される。したがって、我々は可塑的又は永続的に変形可能な材料について述べる。
【００１１】
包装産業の諸分野、特に食品包装の分野において、（例えばお菓子の包装に伝統的に用いられてきたタイプのような）アルミニウムまたは同種のものによるシート包装材から、ポリプロピレン，ポリエチレンなどに基づく異なる性質のラミネート材へとシフトする傾向が段々と明らかになってきた。
【００１２】
アルミニウムのような従来の材料に対して、これらの新材料は、例えば、（1）包装内への外部物質の進入及び／又は（2）包装内の物質の外部への移動に対する防護機能を果たす（それ故保護する）高い能力を有するというメリットがある。このことは、とりわけ、いわゆる感能性の汚染、すなわち同一の包装の隣接する箇所に位置し、異なる味を有する製品が、互いに望まずして味や香りを移してしまう現象に対して有効な防護機能を実現する可能性に関して言える。
【００１３】
さらに、これらの新材料は、とりわけ印刷、すなわち例えば金属化処理のような装飾的処理を受けるのに適しており、審美的な観点から特に包装の感じをよくする。
【００１４】
（リストの最後であるが、必ずしも重要ではない）追加的な要因としては、これらの材料は伝統的な包装材と比べてより少ない環境影響で処分できる可能性がある。
【先行技術文献】
【特許文献】
【００１５】
【特許文献１】欧州特許出願公開第０５９１７４２号公報
【特許文献２】欧州特許出願公開第０７９０１８４号公報
【特許文献３】欧州特許出願公開第１０４６５７９号公報
【発明の概要】
【発明が解決しようとする課題】
【００１６】
しかしながら、アルミニウムのような従来の材料について言えば、前述した代替包装材は多かれ少なかれ明らかなスプリングバック特性を示す。それ故、そのような材料にとっては、付属的要素（例えば、熱変形によって機能する成形要素）を使用することなく、本願の序文で引用された文献に記載されたような技術の適用をあらかじめ示すことは非常に困難である。
【００１７】
それ故、本願発明の目的は、前述の解決策の効率と簡潔さを維持しながら、アルミニウムホイルのような材料とは異なり可塑性の変形性を有するのではなく、逆に少なくともある一定のスプリングバック特性を示すシート材の利用を含む包装の実現に容易に適用できる解決策を提供することにある。
【００１８】
本発明によると、そのような目的は、以下に述べる請求項において想起される特徴を有する方法により成し遂げられる。本発明はまた、対応する包装にも関する。請求項は、本願発明に関して、本明細書で与えられる開示における必須の部分である。
【課題を解決するための手段】
【００１９】
本願発明に係る、シート材からなる包装紙で製品を包装する方法では、可塑性の変形性を有する材料からなる第１のシートと、スプリングバックを示す包装材からなる第２のシートとを供給する工程と、前記第１のシートと前記第２のシートとを前記製品に被せ、前記第２のシートに、前記製品を包装する部分と、前記第１のシートに面する部分とを形成する工程と、前記第１のシートと、該第１のシートと面する前記第２のシートの部分とを結合し、それによって可塑的に変形可能な複合材からなるシート材を形成する工程と、前記可塑的に変形可能な複合材からなるシート材を成形し、前記製品の包装を形成する工程を備える。
さらに本願発明に係る包装体は、シート材の包装の中に包装される製品を備えた包装体であって、前記包装は、可塑的に変形可能な包装材からなる第１のシートと、スプリングバックを示す包装材からなる第２のシートを備え、前記第２のシートは、製品を包む部分と、前記第１のシートに面する部分を有し、前記第１のシートと、該第１のシートに面する前記第２のシートの部分とが一緒に結合され、これによって、前記製品の前記包装を提供するように形成された、可塑的に変形可能な複合材からなるシート材を形成する。
【発明の効果】
【００２０】
本発明によれば、少なくともある一定のスプリングバック特性を示すシート材の利用を含む包装の実現に容易に適用することができる解決策が提供される。
【図面の簡単な説明】
【００２１】
【図１】図１は本明細書に記載される方法を実行する際の連続する工程を表す。
【図２】図２は本明細書に記載される方法を実行する際の連続する工程を表す。
【図３】図３は本明細書に記載される方法を実行する際の連続する工程を表す。
【図４】図４は本明細書に記載される方法を実行する際の連続する工程を表す。
【図５】図５は本明細書に記載される方法を実行する際の連続する工程を表す。
【図６】図６は図１〜５で説明された方法の工程の完了に適用できる２つの可能な変形のうちの一方を表す。
【図７】図７は図１〜５で説明された方法の工程の完了に適用できる２つの可能な変形のうちの一方を表す。
【図８】図８は図１〜５で説明された方法の工程の完了に適用できる２つの可能な変形のうちの他方を表す。
【図９】図９は図１〜５で説明された方法の工程の完了に適用できる２つの可能な変形のうちの他方を表す。
【発明を実施するための形態】
【００２２】
ここに示された典型的な実施形態（一例であり、それ故発明の範囲を制限しないものと考えられなければならない）は、食品Pの包装に関する。
【００２３】
製品Pは、一例として、したがって発明の範囲を何ら制限しないものとして、コーティングされ又はされず、例えば球状の形状、又は添付図面において概略的に示されるように製品Ｐに平らな着座面を与える平らな底面を有する、実質的に球状に対応するように見える形状を備える不定の性質・構成からなるプラリーヌによって表され得る。ともかく、製品Pの具体的な性質が、ここに述べられる解決策を理解し、実行するための決定的な要因とはならない。
【００２４】
ここに記載された方法は、製品Pの周囲に、気密（密閉）シールの特徴を有するシート材の包装紙からなる包装を実現することを目的とする。それ故、起こり得る製品Pの汚染のリスクを伴う、包装内への外部物質の進入及び／又は包装内からの内部物質の漏れを回避しながら製品Pの包装ができるシート材の包装紙が議論されている。このタイプの気密シールされた包装を実現することが必要な様々な理由があり得る。これらの中には、製品の保存期間の延長に対するニーズが挙げられ得る。これに関しては、本明細書の中間部分において引用される文献で言及され得る。
【００２５】
これら従前の文献に記載された解決策の場合のように、シート材の包装は第１のシート１と第２のシート２から形成されることになる。
【００２６】
それらの相対的な寸法に関しては、考慮中の２つのシートは、概して小さいシート１と大きいシート２と理解され得る（簡単にするため、これ以降は四角形状のシートとして言及するが、これらのシートは、とりわけ製品Ｐの形状と寸法の関数において、どんな形状をも取り得る）。
【００２７】
寸法におけるこの相違は、結局図６，７に説明された工程に従って方法を展開された場合に正当化され得るが、一方で図８，９に従って展開された場合にはそれ程重要ではない。例え完全に不可欠なものではなくても、シート２が少なくとも部分的にシート１を覆うようになるときには、より大きな寸法でシート２を作るという選択は概して正当化され得る。
【００２８】
その代わりに、シート１とシート２は変形性特性が相違する。
【００２９】
シート１は可塑的（又は永続的）に変形可能な材料の薄膜から形成される。
【００３０】
その代わりに、シート２はスプリングバックを示す材料の薄膜から形成される。
【００３１】
例えば、シート１は、本明細書の導入部において繰り返し引用されている先行技術文献で言及されているタイプの包装シートにすることができる。例として、これは、できれば、例えば熱溶接特性を有するポリエチレンのような材料の層で上側表面（製品Ｐに面することとなる表面）がコーティングされたアルミホイルのシート（例えば厚さ１５〜５０μｍ）にすることができる。言い換えると、それは、現在専門分野において結合材料と示されるタイプの材料である。
【００３２】
代わりに、シート２は、１５〜５０μｍの厚さを有し、ポリプロピレン（ＰＰ）又は類似するポリマー層を含む薄膜から成り、このポリマー層は、（外側から視認できる部分として意図される）包装の外側に面するようになっており、できれば包装の外表面に仕上げのニスを付す。薄膜に輝きや明るさの特性を与える、いわゆるメタライゼーション又はアルミニゼーションを実現するため、上記ポリプロピレンの層が、その内表面上において、（真空チャンバにおいて）気相成長によって形成された薄いメタライゼーションを備え得る。シート２はまた、例えばポリエチレンのような材料からなる追加の層を備えることができ、ポリプロピレンからなる（外）層とポリエチレンからなる（内）層の間に金属化層が挿入されたサンドイッチ状の構成を供給する。
【００３３】
もちろんこれらの材料の選択は必須ではない。ポリエチレンの選択は、シート２の内側すなわち製品Ｐと面するようになる面上に、熱溶接によって第１のシート１の材料との密接な結合を形成し得る層を備えることを望むことが原因となり得る。
【００３４】
構造及び構成が何であれ、シート２が全体に可塑性の変形性の特徴を有さないこととなる。もしシート２が変形させられた場合、（可塑性の変形性の特徴を有する膜やシートと違って、）与えられた形状を永久に維持することなく、代わりに変形されていない初めの形状に弾性的に戻ろうとする。
【００３５】
一例として、ここに示された方法の第１の工程では、シート１が出発材料のロールもしくはウェブＷをカットすることによって得られることが図１に示されている。シート１が、（特に図示しないが、）例えば製品の自動包装機に設けられたコンベア手段の表面のような作業表面に配置されることが想定され得る。例えば、図２に概略的に説明されるように、（例えば把持装置のような）道具１００によってシート１上に配置される製品Ｐを収容及び保持する場所を供給することができるよう、場合によっては縮小された深さを有する中空のインプリント３が（公知の道具によって）形成される。
【００３６】
インプリント３は、例えばレンズ状の凹形形状又は略殻状もしくボール状の形状、それ故キャビティ3の中に収容される製品Ｐの下部の縁部分とほぼ相補的な形状を有することができる。このすべてが、例えば（包装サイクルの間に通常生じるように、）製品Ｐを載せたシート１が例えばコンベヤーラインに沿って前進する時に、製品Ｐがシート１に対して望まれざる態様で移動するのを避けるために用いられる。
【００３７】
シート１にインプリント３を実現するというオプションは必須ではないことも理解されるであろう。そのようなインプリントの存在は、底面に平坦な部分を既に有する製品の場合にはそれほど跡は生じないが、製品Ｐが完全に球状で、それ故に明らかにシート１上を転がり易い場合に好都合となり得る。いずれにせよ、シート１への製品Ｐの固定効果は、他の手段、例えば食品銘柄用の接着剤によっても得られ得る。
【００３８】
もしあれば、中空のインプリント３は可塑的に変形できる材料に形成され、一旦シート１にインプリントが形成されると、そのようなインプリントは実質的に安定した状態に留まることも理解されるであろう。
【００３９】
図３は追加の工程を示しており、この工程においては、上方から現れ、全体が環状の形状を有する工具１２０によって、製品Ｐ上に第２のシート２が被せられ、シート２が被せられる製品Ｐの上部を包み込むことが可能となる。公知の方法であるが、工具１１０の表面に対するシート２の僅かなスライドは許容する真空保持動作（破線により表され、符号１１２で示される真空ライン参照）により、シート２は工具１２０により保持される。
【００４０】
この時、シート２は製品Ｐに掛けられる。一旦工具１１０の下方への移動が完了し、製品Ｐの上部及び周りにシート２が嵌った（被さった）状態となると、シート２は製品Ｐを包み込む、略ドーム状の中央部と、シート１とシート２とが面する部分においてシート１と同一の広がりを持つ平坦部２ａとを有する。
【００４１】
一旦そのような状態になると、製品Ｐを取り巻く領域であって、かつ、シート１とシート２の２つが互いに接する領域におおよそ対応する、少なくとも数箇所においてシート１とシート２とを結合する仮付け操作の実現が進行する。ここではドット４で表されたそのような仮付け（図４参照）は、例えば、シート１の下部表面に対して下から上昇し、局所的な溶融点の位置を決め、それに続いてシート１，２を溶接する指状の熱溶接要素１２０の頂部により、シート１とシート２とを溶接することによって実現される。そのような局所的な溶融には、一方又は両方のシートの表面に可塑性材料の層が少なくとも１層必要とされ得る。例えば、本実施形態において、局所的な溶融にはシート２の下部表面にポリエチレン層が必要とされると考えられ得る。
【００４２】
もちろん、上記仮付けは、例えば超音波溶接などの異なる技術によっても実現され得る。
【００４３】
（連続又は不連続となり得る）上記仮付けの存在によって、成形工具１１０が上昇することが可能となり、シート２がその中央部に与えられたドーム状の形状を失わずに済む。繰り返し述べられたように、シート２の材料は可塑性の変形性を有しておらず、その代わりにスプリングバックの特性を示すものである。
【００４４】
ここで、図４に示された工程において、シート１とシート２は、相互に面する表面に対応して、追加の溶接工具１３０によって気密シールされた状態で一緒に溶接される（これは、例えば、図４に表された一組の部品に上方から下がってくる環状の工具とし得る）。
【００４５】
図４に示された工程において、シート２の平坦部２ａの表面に面するシート１の表面全体に沿って、２つのシート１，２は互いに結合される。２つのシートが互いに面する表面全体に沿って接しているという事実は、表面の結合（ここでは熱溶接によって、又は、場合によっては超音波溶接もしくは他の手段によって実現されている）が完全に連続している必要があるということを含意していない。
【００４６】
ある実施形態において、検討中の表面間の結合は、実際に連続的になり得る。例えば、気密シールされたペアを達成しようとする必要なく、近接して配置された点による線や、ウェブ又は線の様式によって結合を実現することは本願発明の範囲内である。互いに面する領域全体ではなく、仮付け４によってもたらされる結合の有利な効果を利用して、例えば外側の縁を除き、又は製品Ｐのすぐ近くに隣接する部分に関するなど一部分のみにおいてシート１とシート２の間の結合を実現することは、同様に本願発明の範囲内である。
【００４７】
そのような表面間の結合を実現するため、上述のように製品Ｐの周りに形成された包装の気密シール（ハーメチックシール）を確実にすることができることに加え、シート１とシート２が一緒に合体又は結合された薄膜構造を供給するどんなタイプの結合も用いられ得る。その結果、シート１の可塑性の変形性特性が、シート１とシート２の結合体に、ひいてはシート１とシート２を対にすることによって得られる複合薄層材料にもたらされる。シート１とシート２が結合されると、シート１の可塑性の変形特性によって、シート２のスプリングバック特性がいわば抑制される。
【００４８】
言い換えると、シート１とペアにされると、一旦変形させようとする力が取り除かれるとそれ単独である程度元の形状に戻ろうとする傾向にあるシート２が、可塑的又は永続的な変形性特性を得る。これは、実際に可塑性の変形特性を有する薄層材料（シート１）と結合されたことが原因である。
【００４９】
完全を期すために、シート２が工具１１０によって製品Ｐの包装位置に保持されている間に、図４に表されたように上からではなく、下から溶接工具１３０を上昇させ、溶接工具１３０によって作用するシート１とシート２の一部分２ａを対とすることにより、（例えば、図３の指状の工具１２０によってあらかじめ形成される）仮付け操作を避け得る。少なくとも現在のところ、仮付け４を提供する解決策は、プロセス及び装置が全体として簡単になるという理由により好まれる。
【００５０】
図４に表された段階からスタートすると、ここに述べられた方法は少なくとも２つの異なった方向に発展することができる。
【００５１】
図６，７はＥＰ‐Ａ‐０  ５９１  ７４２に記載されたものと実質的に同様の解決策に言及する（特に図５〜７参照）。
【００５２】
特に、上部をシート２，下部をシート１によって覆われる製品Ｐによって形成され、２つのシートが互いに面する表面に沿って結合されている複合製品は反転され（図５参照）、押出工具１５０で下方に押出して成形工具１４０（例えば、ＥＰ‐Ａ‐０  ０８２  ９５２に記載された概略アーチチョーク状の形態をした変形可能な羽根タイプ）を通過させされる。これによりシート２の外縁（すなわち本質的には平坦部２ａ）が製品Ｐに向かって折り曲げられ、完全でなくても、少なくとも部分的に製品Ｐの下部を実際には囲んでいるシート１を覆う結果を得る。その可塑性の変形性特性によって、シート１は、製品Ｐの底面部に対応して、包装紙２によって形成されたお辞儀をしているような部分を閉じられた状態に保つ。
【００５３】
これに関しては、シート１とシート２が互いに面した場所の縮小された外縁を省略して結合される場合に、同様の結果が成し遂げられ得ることが理解される。
【００５４】
この段階で、包装紙（もしシート１とシート２が少なくとも製品Ｐの周囲で一緒に気密シールされる場合には、気密シール）に包まれた製品Ｐは、図７に示されるように受容カップ５（プチフルール）内に配置され得る。
【００５５】
あるいは、図４に表される段階から生ずる一組のパーツは、図８及び９に概略的に説明される成形操作を受け得る。これらの操作は、ＥＰ‐Ａ‐１  ０４６  ５７９（特に図５〜７を参照）に記載された操作と実質的に類似する。そして、これらの操作は、シート１とシート２に、上方に開口し、シート１とシート２が結合された領域においてひだのある壁の鉢（ボール）状の形状を付与し、カップ状の要素１５の外観を作り出す。これは、図７に表されたカップ状の構造に類似するカップ状の構造であるが、包装の一体的な一部分として与えられた特徴である。
【００５６】
好ましくは、図９において符号１５で示されたカップ状の一体的部分の形成操作は、まず初めに、（先立って行われていなければ）全体的な溶接をし、シート１とシート２が一緒に結合された領域に関して放射状に方向付けられたひだ付け行うひだ付け操作をする。
【００５７】
それから、この領域は熱間引き抜きによって成形されてカップ状となる。この操作の成果を改善するため、要求される可塑性の変形性特性を有する一方で、偶発的な変形への耐性をも有するシート１の素材を作ることが役に立ち得る。この特性は、一旦形成された一体のカップ１５が連続する製品処理段階の間に容易に凹むことを回避するのに有効である。
【００５８】
例えば、この成果はアルミニウムのような材料と繊維質の紙のような材料を結合させることにより達せられる。
【００５９】
もちろん、本発明の原理を維持する限り、さらに明らかに言えば、以下のクレームにて定められる発明の範囲から離れることなく、限定されない例としてここで述べられかつ説明されていることに関し、構成の細部や実施形態の態様を変えることができる。
【符号の説明】
【００６０】
１    第１のシート
２    第２のシート
２ａ  平坦部
３    インプリント
４    ドット
５    受容カップ
１５    カップ状の要素
１００    工具
１１０    工具
１１２    真空ライン
１２０    工具
１４０    成形工具
１５０    押出工具
Ｐ    製品
Ｗ    ロール
【図１】
2011507775.tif 000003
【図２】
2011507775.tif 000004
【図３】
2011507775.tif 000005
【図４】
2011507775.tif 000006
【図５】
2011507775.tif 000007
【図６】
2011507775.tif 000008
【図７】
2011507775.tif 000009
【図８】
2011507775.tif 000010
【図９】
2011507775.tif 000011
【国際調査報告】
2011507775.tif 000012
2011507775.tif 000013
2011507775.tif 000014